【手続補正書】
【提出日】平成20年4月16日(2008.4.16)
【手続補正１】
【補正対象書類名】明細書
【補正対象項目名】００１１
【補正方法】変更
【補正の内容】
【００１１】
音声通信であることを考慮して、ある固定のデータレートに対する信頼あるリンクを各ユーザに保証するために、概してパワー制御がＣＤＭＡシステムにおいて採用されている。ボコーダは、米国特許５４１４７９６号（５月９日発行、名称：可変レートボコーダ）に記載された技術を使用して、音声データに対する可変レートの送信元符号化を提供できる。ボコーダがあるレートで一連の情報ビットをいったん生成したならば、パワー制御は、当該レートを信頼性をもって支持するために可能な限り少ないパワーで送信するようにユーザ装置を調整しようとする。パワー制御は、全体の干渉に対する各ユーザの寄与を抑制することによって、使用できるユーザの数を最大化するという意味において、ＣＤＭＡ音声システムの最大容量を達成する。
【手続補正２】
【補正対象書類名】明細書
【補正対象項目名】００１３
【補正方法】変更
【補正の内容】
【００１３】
音声サービスとデータサービスの大きな違いは、前者は厳格で固定の遅延要件を課することである。概して、音声フレームの一方向全体の遅延は、１００ミリ秒以内でなければならない。これとは対照的に、データ遅延は、データ通信システムの効率の良さを最適化するのに用いられる可変パラメータになる。特に、音声サービスにおいて許容される遅延よりもはるかに大きな遅延を要求するより効率の良い誤り訂正符号化技術が使用されている。データに対する効率の良い符号化方法の例は、米国特許出願ＮＯ．０８／７４３６８８（名称：畳み込み符号化された符号語を復号するためのソフト判定出力符号器、１９９６年１１月６日出願、米国特許ＮＯ．５，９３３，４６２、１９９９年８月３日発行、本発明の譲り受け人に譲渡され、ここに参考文献として含まれている）に開示されている。
【手続補正３】
【補正対象書類名】明細書
【補正対象項目名】００１５
【補正方法】変更
【補正の内容】
【００１５】
音声サービスとデータサービスの他の大きな違いは、前者は、典型的なＣＤＭＡ通信システムにおいて、ソフトハンドオフにより提供される信頼性のある通信リンクが要求されることである。ソフトハンドオフは、信頼性を改善するために２あるいはそれ以上の基地局からの余剰送信となる。しかしながら、この付加的な信頼性は、エラー状態で受信されたデータパケットは再送されるので、データ送信では不要である。データサービスの場合、ソフトハンドオフを支持するのに用いられる送信パワーは、付加的なデータを送信するのにより効率良く使用される。デジタルデータのワイヤレス送信に最適化した方法及び装置は、米国特許出願ＮＯ．０８／９６３３８６号（名称：高レートのパケットデータ送信のための方法及び装置、１９９７年１１月３日出願、米国特許ＮＯ．６,５７４,２１１、２００３年６月３日発行、本発明の譲受人に譲渡されており、ここに参考文献として含まれている）に記載されている。
【手続補正４】
【補正対象書類名】明細書
【補正対象項目名】００１６
【補正方法】変更
【補正の内容】
【００１６】
データ通信の上記した特徴の結論として、平均スループットを最適化するのに設計されたデータ通信システムは、最善のサービスを提供する基地局から、ユーザが信頼性をもって支持できる高データレートＲｂで、各ユーザにサービスを提供することを企てる。上記の結論は、米国特許出願ＮＯ．０８／９６３３８６号（名称：高レートのパケットデータ送信のための方法及び装置、１９９７年１１月３日出願、米国特許ＮＯ．６,５７４,２１１、２００３年６月３日発行、本発明の譲受人に譲渡されており、ここに参考文献として含まれている）に記載されている。上記の結論の結果として、現代の高データレート（ＨＤＲ）システムでは、基地局は各タイムスロットで一人のユーザのみに常に最大のパワーで送信し、ユーザが信頼性を持って受信できる最大のレートを調整するべくパワー制御を使用する。データ通信の特徴として、スループットはリバースリンクよりもフォワードリンクに対してより重要である。
【手続補正５】
【補正対象書類名】明細書
【補正対象項目名】００３５
【補正方法】変更
【補正の内容】
【００３５】
デュプレクサ１６はさらに、送信増幅器３０、ＩＦ／ＲＦ変換ミキサ３２、送信帯域フィルタ３４、送信ＡＧＣ３６、ベースバンド／ＩＦ変換回路３８を含む送信パス６５に接続されている。送信ベースバンド／ＩＦ変換回路３８は符号器４０でベースバンドコンピュータ２８に接続されている。
【手続補正６】
【補正対象書類名】明細書
【補正対象項目名】００３９
【補正方法】変更
【補正の内容】
【００３９】
動作時、アンテナ１４により受信されたＲＦ信号５２は、受信パス６７に送られて受信増幅器１８により増幅され、ＲＦ／ＩＦ変換ミキサ２０を介して中間周波数に混合され、帯域フィルタ２２によりフィルタリングされ、受信ＡＧＣ２４によりそのゲインが調整され、ＩＦ／ベースバンド回路２６を介してデジタルベースバンド信号５６に変換される。デジタルベースバンド信号５６は次にデジタルベースバンドコンピュータ２８に入力される。
【手続補正７】
【補正対象書類名】明細書
【補正対象項目名】００４０
【補正方法】変更
【補正の内容】
【００４０】
本実施形態において、送信システム１０は、直交位相シフトキーイング（ＱＰＳＫ）拡散及び逆拡散技術の使用に適しており、デジタルベースバンド信号５６は、同相（Ｉ）信号成分と直交（Ｑ）信号成分を含む直交振幅変調（ＱＡＭ）信号である。Ｉ及びＱベースバンド信号５６は、基地局において使用される送信器などのＣＤＭＡ遠隔通信送信器から送信されるパイロット信号及びデータ信号を表わす。
【手続補正８】
【補正対象書類名】明細書
【補正対象項目名】００４１
【補正方法】変更
【補正の内容】
【００４１】
送信パス６５において、デジタルベースバンドコンピュータ出力信号５８は、ベースバンド／ＩＦ変換回路３８を介してアナログ信号に変換され、ＩＦ信号に混合され、送信帯域フィルタ３４によりフィルタリングされ、ＩＦ／ＲＦ変換ミキサ３２によりＲＦまで混合され、送信増幅器３０により増幅され、デュプレクサ１６及びアンテナ１４を介して送信される。
【手続補正９】
【補正対象書類名】明細書
【補正対象項目名】００４２
【補正方法】変更
【補正の内容】
【００４２】
受信及び送信パス６７及び６９はそれぞれ、デジタルベースバンドコンピュータ２８に接続されている。デジタルベースバンドコンピュータ２８は受信したベースバンド信号５６を処理してデジタルベースバンドコンピュータ出力信号５８を出力する。ベースバンドコンピュータ２８は信号／データ変換及び／あるいはデータ／信号変換などの機能を含む。
【手続補正１０】
【補正対象書類名】明細書
【補正対象項目名】００４５
【補正方法】変更
【補正の内容】
【００４５】
同様にして、受信パス６７内のＩＦ／ベースバンド変換回路２６は、アナログデジタル変換器（ＤＡＣ）、発振器、ミキサなどの回路（図示せず）を含む。受信ＡＧＣ回路２４から出力されたゲイン調整信号は、ＩＦ／ベースバンド変換回路２６に送られた後、混合回路を介してベースバンドと混合され、その後、アナログデジタル変換器（ＡＤＣ）（図示せず）を介してデジタル信号に変換される。
【手続補正１１】
【補正対象書類名】明細書
【補正対象項目名】００４６
【補正方法】変更
【補正の内容】
【００４６】
ベースバンド／ＩＦ変換回路３８とＩＦ／ベースバンド変換回路２６とは、混合機能を確立するために、第１の発振器６１を介して提供された発振器信号を使用する。受信ＲＦ／ＩＦ変換ミキサ２０と送信ＩＦ／ＲＦ変換ミキサ３２とは、第２の発振器６２から入力された発振器信号を使用する。第１及び第２の発振器６０及び６２はそれぞれ、マスタ基準発振器信号（図示せず）から出力信号を引き出す位相同期ループとして実装される。
【手続補正１２】
【補正対象書類名】明細書
【補正対象項目名】００４７
【補正方法】変更
【補正の内容】
【００４７】
当業者は、他のタイプの受信及び送信パス６７及び６５を本発明の範囲から逸脱しないで使用可能であることを認識するであろう。増幅器１８及び３０、ミキサ２０及び３２、フィルタ２２及び３４、ＡＧＣ回路２４及び３６、そして周波数変換回路２６及び３８は標準の構成要素であり、当業界で通常の知識をもち、現在の教義にアクセス可能な者により容易に構成される。
【手続補正１３】
【補正対象書類名】明細書
【補正対象項目名】００５２
【補正方法】変更
【補正の内容】
【００５２】
ＬＬＲ回路４６は、最適なＬＬＲ及びソフト復号器判定値を生成するために、パス重み付け及び合成回路４２からのメトリックと、ＳＩＮＲ回路６６により供給されたＳＩＮＲ推定とを使用する。好ましい実施形態では、ＬＬＲ回路４６は、米国特許出願ＮＯ．０９／３１１７９３号（１９９９年５月１３日出願、米国特許ＮＯ．６，３７７，６０７、２００２年４月２３日発行、名称：パイロット支持コヒーレント復調を介してターボ符号化信号の正確な復調を実行するためのシステム及び方法、本発明の譲受人に譲渡され、ここに参考文献として含まれている）の教義に従って構成される。
【手続補正１４】
【補正対象書類名】明細書
【補正対象項目名】００５８
【補正方法】変更
【補正の内容】
【００５８】
ＳＩＮＲ推定回路は当業界で既知である。好ましい実装において、ＳＩＮＲ回路６６は、米国特許出願ＮＯ．０９／３１００５３号（１９９９年５月１１日出願、米国特許ＮＯ．６，６６１，８３２、２００３年１２月９日発行、名称：ワイヤレス通信システムにおける使用のための受信信号干渉の正確な推定を提供するためのシステム及び方法、本発明の譲受人に譲渡され、ここに参考文献として含まれている）の教義に従って構成される。
【手続補正１５】
【補正対象書類名】明細書
【補正対象項目名】００８５
【補正方法】変更
【補正の内容】
【００８５】
フィルタ１００から出力される結果的な長期平均は、第１の遅延回路１０２を介してＤサンプルだけ遅延されて、第２の減算器１０６の負の端子に供給される。第２の減算器１０６は、長期平均ｍd （ｎ）からフィルタ出力デシベルコンバータ７４からのｄ（ｎ）出力を減算し、それに応答して予測誤差信号ｅ1 （ｎ）を提供する。エラー信号ｅ1 （ｎ）は二乗回路１０８及び第１のフィルタＦ4 １１２によりそれぞれ、二乗かつフィルタリングされる。第１のフィルタＦ4 １１２は、以下の式により表現される伝達関数Ｆ4 （ｚ）をもつ無限インパルス応答（ＩＩＲ）フィルタである。
【手続補正１６】
【補正対象書類名】図面
【補正対象項目名】図１
【補正方法】変更
【補正の内容】
【図１】
2003510863.tif 000001
【手続補正１７】
【補正対象書類名】図面
【補正対象項目名】図３
【補正方法】変更
【補正の内容】
【図３】
2003510863.tif 000002